【手続補正書】
【提出日】平成22年8月17日(2010.8.17)
【手続補正１】
【補正対象書類名】特許請求の範囲
【補正対象項目名】全文
【補正方法】変更
【補正の内容】
【特許請求の範囲】
【請求項１】
電極−体のインタフェースにおけるインピーダンスを測定するためのシステムであって、
プロセッサと、
該プロセッサと連絡する交流発電機であって、該交流発電機は、出力電圧と出力インピーダンスとを有する、交流発電機と、
該プロセッサおよび該交流発電機と連絡する複数の皮膚電極であって、各皮膚電極は、電極インピーダンスを有する、複数の皮膚電極と、
該プロセッサと連絡するディスプレーであって、該ディスプレーは、各皮膚電極に対する該電極−体インタフェースにおいて該電極インピーダンスを示すことと、該電極インピーダンスのうちの１つが事前に設定されたレベルを超えるとき警告を生成することとを行うように構成されている、ディスプレーと
を備え、
該プロセッサは、該交流発電機の出力インピーダンスと、該交流発電機の出力電圧と、該複数の皮膚電極のうちの２つ以上の皮膚電極間の電圧とに応答して、該電極−体のインタフェースにおける各電極インピーダンスを計算し、該警告は、許容可能な電極インピーダンスに到達していないことを示す、システム。
【請求項２】
前記交流発電機は、定電流出力を提供する、請求項１に記載のシステム。
【請求項３】
前記電極−体のインタフェースにおける各電極インピーダンスは、前記複数の皮膚電極のうちの２つ以上の皮膚電極間の電圧と線形関係にある、請求項２に記載のシステム。
【請求項４】
複数のスイッチをさらに備え、各スイッチは、それぞれの皮膚電極と関連付けられる、請求項１に記載のシステム。
【請求項５】
前記スイッチは、電界効果トランジスタである、請求項４に記載のシステム。
【請求項６】
前記プロセッサと前記皮膚電極との間で電気的に連絡する同期式整流器をさらに備えている、請求項１に記載のシステム。
【請求項７】
前記同期式整流器はさらに、前記交流発電機と連絡し、そして、該交流発電機によって生成される波形のピーク振幅をサンプリングする、請求項６に記載のシステム。
【請求項８】
前記複数の皮膚電極は、３つの電極を備えている、請求項１に記載のシステム。
【請求項９】
前記複数の皮膚電極のうちの２つ以上の皮膚電極間の電圧は、第３の皮膚電極の電圧を測定している間に、該複数の皮膚電極のうちの２つを並列することによって測定される、請求項８に記載のシステム。
【請求項１０】
前記交流発電機は、１０Ｈｚの周波数で動作する、請求項１に記載のシステム。
【請求項１１】
前記交流発電機は、５０マイクロアンペアＲＭＳ未満の電流を生成する、請求項１に記載のシステム。
【請求項１２】
前記交流発電機は、１０マイクロアンペアＲＭＳの電流を生成する、請求項１に記載のシステム。
【請求項１３】
前記交流発電機は、三角形の電圧波形を生成する、請求項１に記載のシステム。
【請求項１４】
前記プロセッサと前記同期式整流器との間で電気的に連絡するアナログ−デジタル変換器をさらに備えている、請求項１に記載のシステム。
【請求項１５】
前記プロセッサと前記皮膚電極との間で電気的に連絡するアナログ−デジタル変換器をさらに備えている、請求項１に記載のシステム。
【請求項１６】
ガンマカメラシステムであって、
ガンマカメラと、
該ガンマカメラと電気的に連絡するインピーダンス測定デバイスと
を備え、該インピーダンス測定デバイスは、
プロセッサと、
該プロセッサと連絡する交流発電機であって、該交流発電機は、出力電圧と出力インピーダンスとを有する、交流発電機と、
該プロセッサおよび該交流発電機と連絡する複数の電極であって、各電極は、電極−体のインピーダンスを有する、複数の電極と
を備え、
該プロセッサは、該交流発電機の出力インピーダンスと、該交流発電機の出力電圧と、２つ以上の電極間の電圧とに応答して、該電極−体のインタフェースにおける該インピーダンスを計算し、
該ガンマカメラの使用者は、該複数の電極に関する電極−体のインピーダンスを通知される、システム。
【請求項１７】
ストレステストシステムであって、
ストレステストのためのＥＣＧデバイスと、
該ＥＣＧストレステストシステムと電気的に連絡するインピーダンス測定デバイスと
を備え、該インピーダンス測定デバイスは、
プロセッサと、
該プロセッサおよび該交流発電機と連絡する複数の電極であって、各電極は、電極−体のインピーダンスを有する、複数の電極と
を備え、
該プロセッサは、該交流発電機の出力インピーダンスと、該交流発電機の出力電圧と、２つ以上の電極間の電圧とに応答して、該電極−体のインタフェースにおける該インピーダンスを計算し、
該ガンマカメラの使用者は、該複数の電極に関する電極−体のインピーダンスを通知される、システム。
【請求項１８】
細動除去器システムであって、
細動除去器と、
該細動除去器と電気的に連絡するインピーダンス測定デバイスと
を備え、該インピーダンス測定デバイスは、
プロセッサと、
該プロセッサと連絡する交流発電機であって、該交流発電機は、出力電圧と出力インピーダンスとを有する、交流発電機と、
該プロセッサおよび該交流発電機と連絡する複数の電極であって、各電極は、電極−体のインピーダンスを有する、複数の電極と
を備え、
該プロセッサは、該交流発電機の出力インピーダンスと、該交流発電機の出力電圧と、２つ以上の電極間の電圧とに応答して、該電極−体のインタフェースにおけるインピーダンスを計算し、
該細動除去器の使用者は、該複数の電極に関する電極−体のインピーダンスを通知される、システム。
【請求項１９】
ＥＥＧシステムであって、
ＥＥＧデバイスと、
該ＥＥＧデバイスと電気的に連絡するインピーダンス測定デバイスと
を備え、該インピーダンス測定デバイスは、
プロセッサと、
該プロセッサと連絡する交流発電機であって、該交流発電機は、出力電圧と出力インピーダンスとを有する、交流発電機と、
該プロセッサおよび該交流発電機と連絡する複数の電極であって、各電極は、電極−体のインピーダンスを有する、複数の電極と
を備え、
該プロセッサは、該交流発電機の出力インピーダンスと、該交流発電機の出力電圧と、２つ以上の電極間の電圧とに応答して、該電極−体のインタフェースにおけるインピーダンスを計算し、
該ＥＥＧデバイスの使用者は、該複数の電極に関する電極−体のインピーダンスを通知される、システム。
【請求項２０】
臨床用システムであって、
患者の体に取り付ける複数の皮膚電極であって、該皮膚電極のそれぞれは、電極インピーダンスを有する、複数の皮膚電極と
該皮膚電極と連絡する臨床用デバイスと、
該臨床用デバイスと電気的に連絡するインピーダンス測定デバイスであって、該インピーダンス測定デバイスは、
該皮膚電極と連絡するプロセッサと、
該プロセッサおよび該複数の皮膚電極と連絡する交流発電機であって、該交流発電機は、出力電圧と出力インピーダンスとを有する、交流発電機と、
該プロセッサと連絡するディスプレーであって、該ディスプレーは、各皮膚電極に対する該電極−体インタフェースにおいて該電極インピーダンスを示すことと、該電極インピーダンスのうちの１つが事前に設定されたレベルを超えるとき警告を生成することとを行うように構成されている、ディスプレーであって、該プロセッサは、該交流発電機の出力インピーダンスと、該交流発電機の出力電圧と、２つ以上の電極間の電圧とに応答して、該電極−体のインタフェースにおけるインピーダンスを計算する、ディスプレーと
を備えている、システム。
【請求項２１】
前記臨床用デバイスは、皮膚電極が、測定または電流の送達のうちの１つのために必要とされるデバイスである、請求項２０に記載のシステム。
【請求項２２】
前記臨床用デバイスは、経皮的神経刺激装置、麻酔の深さのモニタリングシステム、ＥＭＧモニタ、ＣＴスキャナ、ＭＲＩ、超音波診断装置、または砕石器からなる群から選択される、請求項２１に記載のシステム。
【請求項２３】
交流発電機と複数の皮膚電極とを備えているシステムにおける電極−体のインタフェースにおけるインピーダンスを測定するための方法であって、該方法は、
該交流発電機の出力インピーダンスを測定することと、
該交流発電機の出力電圧を測定することと、
該交流発電機と連絡する複数の皮膚電極のうちの２つ以上の皮膚電極間の電圧を測定することと、
該交流発電機の出力インピーダンスと、該交流発電機の出力電圧と、２つ以上の皮膚電極間の電圧とを使用して、該電極−体のインタフェースにおける該複数の皮膚電極の各々に対するインピーダンスを計算することと、
該複数の皮膚電極のうちの１つに対する該計算されたインピーダンスが事前に設定されたレベルを超える場合に警告を生成することと
を包含する、方法。
【請求項２４】
前記交流発電機は、定電流出力を提供する、請求項２３に記載の方法。
【請求項２５】
前記電極−体のインタフェースにおけるインピーダンスは、前記複数の電極のうちの２つ以上の電極間の電圧と線形関係にある、請求項２４に記載の方法。
【請求項２６】
前記複数の電極は、３つの電極を備えている、請求項２３に記載の方法。
【請求項２７】
前記２つ以上の電極間の電圧は、複数の電極のうちの２つを並列している間に、該並列された電極と第３の電極との間の電圧を測定することによって測定される、請求項２６に記載の方法。
【請求項２８】
前記交流発電機は、１０Ｈｚの周波数で動作する、請求項２３に記載の方法。
【請求項２９】
前記交流発電機は、５０マイクロアンペアＲＭＳ未満の電流を生成する、請求項２３に記載の方法。
【請求項３０】
前記交流発電機は、１０マイクロアンペアＲＭＳの電流を生成する、請求項２３に記載の方法。
【請求項３１】
前記交流発電機は、三角形の電圧波形を生成する、請求項２３に記載の方法。
【請求項３２】
前記臨床用デバイスは、ガンマカメラ、ＥＣＧデバイス、除細動器、ＥＥＧデバイス、ストレステストシステム、経皮的神経刺激装置、麻酔の深さのモニタリングシステム、ＥＭＧモニタ、ＣＴスキャナ、ＭＲＩ、超音波診断装置および砕石器からなる群から選択される、請求項２０に記載のシステム。
【手続補正２】
【補正対象書類名】明細書
【補正対象項目名】００１９
【補正方法】変更
【補正の内容】
【００１９】
一部の実施形態において、交流発電機は、１０Ｈｚの周波数で動作し、そして、三角形の電圧波形を生成する。一実施形態において、交流発電機は、１０マイクロアンペア未満の電流を生成する。
例えば、本発明は、以下の項目を提供する。
（項目１）
電極−体のインタフェースにおけるインピーダンスを測定するためのシステムであって、
プロセッサと、
該プロセッサと連絡する交流発電機であって、該交流発電機は、出力電圧と出力インピーダンスとを有する、交流発電機と、
該プロセッサおよび該交流発電機と連絡する複数の電極であって、各電極は、電極−体のインピーダンスを有する、複数の電極と
を備え、
該プロセッサは、該交流発電機の出力インピーダンスと、該交流発電機の出力電圧と、２つ以上の電極間の電圧とに応答して、該電極−体のインタフェースにおけるインピーダンスを計算する、システム。
（項目２）
上記交流発電機は、定電流出力を提供する、項目１に記載のシステム。
（項目３）
上記電極−体のインタフェースにおけるインピーダンスは、上記２つ以上の電極間の電圧と線形関係にある、項目２に記載のシステム。
（項目４）
複数のスイッチをさらに備え、各スイッチは、それぞれの電極と関連付けられる、項目１に記載のシステム。
（項目５）
上記スイッチは、電界効果トランジスタである、項目４に記載のシステム。
（項目６）
上記プロセッサと上記電極との間で電気的に連絡する同期式整流器をさらに備えている、項目１に記載のシステム。
（項目７）
上記同期式整流器はさらに、上記交流発電機と連絡し、そして、該交流発電機によって生成される波形のピーク振幅をサンプリングする、項目６に記載のシステム。
（項目８）
上記複数の電極は、３つの電極を備えている、項目１に記載のシステム。
（項目９）
上記２つ以上の電極間の電圧は、第３の電極の電圧を測定している間に、電極のうちの２つを並列することによって測定される、項目８に記載のシステム。
（項目１０）
上記交流発電機は、１０Ｈｚの周波数で動作する、項目１に記載のシステム。
（項目１１）
上記交流発電機は、５０マイクロアンペアＲＭＳ未満の電流を生成する、項目１に記載のシステム。
（項目１２）
上記交流発電機は、１０マイクロアンペアＲＭＳの電流を生成する、項目１に記載のシステム。
（項目１３）
上記交流発電機は、三角形の電圧波形を生成する、項目１に記載のシステム。
（項目１４）
上記プロセッサと上記同期式整流器との間で電気的に連絡するアナログ−デジタル変換器をさらに備えている、項目１に記載のシステム。
（項目１５）
上記プロセッサと上記電極との間で電気的に連絡するアナログ−デジタル変換器をさらに備えている、項目１に記載のシステム。
（項目１６）
ガンマカメラシステムであって、
ガンマカメラと、
該ガンマカメラと電気的に連絡するインピーダンス測定デバイスであって、
プロセッサと、
該プロセッサと連絡する交流発電機であって、該交流発電機は、出力電圧と出力インピーダンスとを有する、交流発電機と、
該プロセッサおよび該交流発電機と連絡する複数の電極であって、各電極は、電極−体のインピーダンスを有する、複数の電極と
を備えている、インピーダンス測定デバイスと
を備え、
該プロセッサは、該交流発電機の出力インピーダンスと、該交流発電機の出力電圧と、２つ以上の電極間の電圧とに応答して、該電極−体のインタフェースにおけるインピーダンスを計算し、
該ガンマカメラの使用者は、該複数の電極に関する電極−体のインピーダンスを通知される、システム。
（項目１７）
ストレステストシステムであって、
ストレステストのためのＥＣＧデバイスと、
該ＥＣＧストレステストシステムと電気的に連絡するインピーダンス測定デバイスであって、
プロセッサと、
該プロセッサと連絡する交流発電機であって、該交流発電機は、出力電圧と出力インピーダンスとを有する、交流発電機と、
該プロセッサおよび該交流発電機と連絡する複数の電極であって、各電極は、電極−体のインピーダンスを有する、複数の電極と
を備えている、インピーダンス測定デバイスと
を備え、
該プロセッサは、該交流発電機の出力インピーダンスと、該交流発電機の出力電圧と、２つ以上の電極間の電圧とに応答して、該電極−体のインタフェースにおけるインピーダンスを計算し、
該ＥＣＧストレステストシステムの使用者は、該複数の電極に関する電極−体のインピーダンスを通知される、システム。
（項目１８）
細動除去器ステムであって、
細動除去器と、
該細動除去器と電気的に連絡するインピーダンス測定デバイスであって、
プロセッサと、
該プロセッサと連絡する交流発電機であって、該交流発電機は、出力電圧と出力インピーダンスとを有する、交流発電機と、
該プロセッサおよび該交流発電機と連絡する複数の電極であって、各電極は、電極−体のインピーダンスを有する、複数の電極と
を備えている、インピーダンス測定デバイスと
を備え、
該プロセッサは、該交流発電機の出力インピーダンスと、該交流発電機の出力電圧と、２つ以上の電極間の電圧とに応答して、該電極−体のインタフェースにおけるインピーダンスを計算し、
該細動除去器の使用者は、該複数の電極に関する電極−体のインピーダンスを通知される、システム。
（項目１９）
ＥＥＧシステムであって、
ＥＥＧデバイスと、
該ＥＥＧデバイスと電気的に連絡するインピーダンス測定デバイスであって、
プロセッサと、
該プロセッサと連絡する交流発電機であって、該交流発電機は、出力電圧と出力インピーダンスとを有する、交流発電機と、
該プロセッサおよび該交流発電機と連絡する複数の電極であって、各電極は、電極−体のインピーダンスを有する、複数の電極と
を備えている、インピーダンス測定デバイスと
を備え、
該プロセッサは、該交流発電機の出力インピーダンスと、該交流発電機の出力電圧と、２つ以上の電極間の電圧とに応答して、該電極−体のインタフェースにおけるインピーダンスを計算し、
該ＥＥＧデバイスの使用者は、該複数の電極に関する電極−体のインピーダンスを通知される、システム。
（項目２０）
臨床用システムであって、
患者の体に取り付ける複数の電極であって、該電極のそれぞれは、電極−体のインピーダンスを有する、複数の電極と
該電極と連絡する臨床用デバイスと、
該臨床用デバイスと電気的に連絡するインピーダンス測定デバイスであって、該インピーダンス測定デバイスは、
該電極と連絡するプロセッサと、
該プロセッサおよび該複数の電極と連絡する交流発電機であって、該交流発電機は、出力電圧と出力インピーダンスとを有する、交流発電機と、
を備えている、インピーダンス測定デバイスと
を備え、
該プロセッサは、該交流発電機の出力インピーダンスと、該交流発電機の出力電圧と、２つ以上の電極間の電圧とに応答して、該電極−体のインタフェースにおけるインピーダンスを計算し、
該臨床用デバイスの使用者は、該複数の電極に関する電極−体のインピーダンスを通知される、システム。
（項目２１）
上記臨床用デバイスは、皮膚電極が、測定または電流の送達のうちの１つのために必要とされるデバイスである、項目２０に記載のシステム。
（項目２２）
上記臨床用デバイスは、経皮的神経刺激装置、麻酔の深さのモニタリングシステム、ＥＭＧモニタ、ＣＴスキャナ、ＭＲＩ、超音波診断装置、または砕石器からなる群から選択される、項目２１に記載のシステム。
（項目２３）
交流発電機と複数の電極とを備えているシステムにおける電極−体のインタフェースのインピーダンスを測定するための方法であって、該方法は、
該交流発電機の出力インピーダンスを測定することと、
該交流発電機の出力電圧を測定することと、
該交流発電機と連絡する複数の電極のうちの２つ以上の電極間の電圧を測定することと、
該交流発電機の出力インピーダンスと、該交流発電機の出力電圧と、２つ以上の電極間の電圧とを使用して、該電極−体のインタフェースにおけるインピーダンスを計算することと
を包含する、方法。
（項目２４）
上記交流発電機は、定電流出力を提供する、項目２３に記載の方法。
（項目２５）
上記電極−体のインタフェースにおけるインピーダンスは、上記２つ以上の電極間の電圧と線形関係にある、項目２４に記載の方法。
（項目２６）
上記複数の電極は、３つの電極を備えている、項目２３に記載の方法。
（項目２７）
上記２つ以上の電極間の電圧は、電極のうちの２つを並列して、該並列された電極と第３の電極との間の電圧を測定することによって測定される、項目２６に記載の方法。
（項目２８）
上記交流発電機は、１０Ｈｚの周波数で動作する、項目２３に記載の方法。
（項目２９）
上記交流発電機は、５０マイクロアンペアＲＭＳ未満の電流を生成する、項目２３に記載の方法。
（項目３０）
上記交流発電機は、１０マイクロアンペアＲＭＳの電流を生成する、項目２３に記載の方法。
（項目３１）
上記交流発電機は、三角形の電圧波形を生成する、項目２３に記載の方法。